(57)【要約】【課題】誤操作を減少させ、操作性を向上させることができるようにする。【解決手段】携帯電話端末の表示部の表示画面３２上に、タッチパネルを設け、操作画面として初期メニュー画面１５を表示する。初期メニュー画面１５は、対角方向に複数の区分領域１５Ａ，１５Ｅ，１５Ｊ，１５Ｐおよび１５Ｕに分ける。区分領域１５Ａにはアイコン１５ａなどを最小サイズで表示し、区分領域１５Ｅにはアイコン１５ｅなどを区分領域１５Ａのアイコン１５ａなどより大きいサイズで表示し、区分領域１５Ｕにはアイコン１５ｕなどを最大サイズで表示する。ユーザーは、指の付け根の部分を支点に、指を左右に振り、前後に伸縮させて、初期メニュー画面１５上の目的のアイコンにタッチする。【選択図】図１２
2009265793.tif 000002
【特許請求の範囲】
【請求項１】
表示部と、
この表示部の表示画面上に設けられたタッチパネルと、
前記表示部の表示画面上に、操作画面として複数のアイコンを、当該装置上の前記表示画面の周辺部の近傍の点である基点からの距離が大きいアイコンほど大きいサイズで表示する制御部と、
を備えることを特徴とする表示操作装置。
【請求項２】
請求項１に記載の表示操作装置において、
前記制御部は、前記操作画面として、当該装置上の第１の点を前記基点とする第１の操作画面と、当該装置上の前記第１の点とは異なる第２の点を前記基点とする第２の操作画面とのうちの、当該装置のユーザーによって選択された方の操作画面を表示することを特徴とする表示操作装置。
【請求項３】
請求項１に記載の表示操作装置において、
前記制御部は、前記操作画面として、当該装置上の第１の点を前記基点とする第１の操作画面、当該装置上の前記第１の点とは異なる第２の点を前記基点とする第２の操作画面、および当該装置上の前記第１の点と前記第２の点との間の第３の点を前記基点とする第３の操作画面のうちの、当該装置のユーザーによって選択された方の操作画面を表示することを特徴とする表示操作装置。
【請求項４】
請求項１、請求項２または請求項３に記載の表示操作装置において、
当該装置は、携帯端末として、前記表示部とは別に、複数の操作キーからなるキー操作部を備えることを特徴とする表示操作装置。
【請求項５】
当該装置の一部領域をキー操作部として、その領域内に複数の操作キーが、当該装置上の前記領域の周辺部の近傍の点である基点からの距離が大きい操作キーほど大きいサイズで形成されていることを特徴とする操作装置。
【請求項６】
請求項５に記載の操作装置において、
前記操作キーの操作に基づく信号をリモートコントロール信号として、光通信または無線通信によって対象機器に送信する送信部を備えることを特徴とする操作装置。
【請求項７】
表示部と、この表示部の表示画面上に設けられたタッチパネルとを備える表示操作装置の、コンピュータからなる制御部が、前記表示部の表示画面上に、操作画面として複数のアイコンを、当該装置上の前記表示画面の周辺部の近傍の点である基点からの距離が大きいアイコンほど大きいサイズで表示するためのプログラム。
【発明の詳細な説明】
【技術分野】
【０００１】
この発明は、表示部の表示画面上に操作画面を表示する携帯電話端末などの表示操作装置、および複数の操作キーを有するキー操作部を備える赤外線リモートコントローラなどの操作装置に関する。
【背景技術】
【０００２】
携帯電話端末や、テレビジョン受信機用の赤外線リモートコントローラなどのような、多数の操作キー（ボタン）を有する装置では、全ての操作キーまたは同種の複数の操作キーを、同じサイズで数行数列に渡って形成する。
【０００３】
例えば、特許文献１（特開２００８−１０２８１号公報）には、筐体の一面上に表示部およびキー操作部を設けたストレートタイプの携帯電話端末で、キー操作部中のテンキーを同じサイズで数行数列に渡って形成することが示されている。
【０００４】
また、特許文献２（特開２００８−６６９９７号公報）には、表示部を有する上側筐体をキー操作部を有する下側筐体に対して開閉可能とした折り畳み式の携帯電話端末で、キー操作部中のダイヤルキーを同じサイズで数行数列に渡って形成することが示されている。
【０００５】
液晶ディスプレイなどの表示部の表示画面上にタッチパネルを設け、表示画面上に操作画面を表示して、ユーザーがタッチパネルを介して操作画面上のアイコンにタッチすることによってメニュー項目などを選択する装置も考えられている。
【０００６】
このような装置でも、上記の操作キーと同様に、操作画面上に複数のアイコンを同じサイズで数行数列に渡って表示する。
【０００７】
上に挙げた先行技術文献は、以下の通りである。
【特許文献１】特開２００８−１０２８１号公報
【特許文献２】特開２００８−６６９９７号公報
【発明の開示】
【発明が解決しようとする課題】
【０００８】
しかしながら、上記のようにキー操作部として複数の操作キーを同じサイズで数行数列に渡って形成した装置、または表示部の表示画面上に操作画面として複数のアイコンを同じサイズで数行数列に渡って表示する装置では、操作キーやアイコンが操作しにくいとともに、誤操作の可能性がある。
【０００９】
このことを、図１５を用いて示す。図１５（Ａ）は、操作装置の一例を概略的に示す。この操作装置９０のキー操作部９１は、同じサイズの１２個の操作キー９１ａ，９１ｂ，９１ｃ，９１ｅ，９１ｆ，９１ｇ，９１ｉ，９１ｊ，９１ｋ，９１ｐ，９１ｑおよび９１ｒが４行３列に渡って形成されたものである。
【００１０】
図１５（Ｂ）は、操作キー９１ｂの中心と操作装置９０の筐体上の点Ｐ０とを結ぶ直線上でのユーザーの指の状態を示したものである。
【００１１】
ユーザーは、右手または左手で操作装置９０の図１５（Ａ）で右側の部分を持って、右手または左手の指（人差し指）の付け根の部分を点Ｐ０の近傍に位置させ、指の付け根の部分を支点に、指を左右（操作キー９１ａ，９１ｂ，９１ｃの配列方向）に振り、前後（操作キー９１ｂ，９１ｆ，９１ｊ，９１ｑの配列方向）に伸縮させて、目的の操作キーを押す。
【００１２】
すなわち、ユーザーは、点Ｐ０に最も近い操作キー９１ｐ，９１ｑまたは９１ｒを押すときには、指を縮め、指先１ｃを立てる。
【００１３】
このとき、指先１ｃを細かく動かすことができるとともに、指先１ｃの操作キーへの接触面積が最小となる。そのため、このとき、他の操作キーを押すことなく、目的の操作キーのみを容易かつ確実に押すことができ、誤操作を生じない。
【００１４】
これに対して、点Ｐ０から最も離れた操作キー９１ａ，９１ｂまたは９１ｃを押すときには、指を伸ばし、指先１ｃを寝かせる。
【００１５】
このとき、指先１ｃの操作キーへの接触面積が最大となる。そのため、このとき、目的の操作キーだけではなく、または目的の操作キーではなく、隣接する他の操作キーを押してしまい、誤操作となることがある。
【００１６】
このような誤操作を減少させるために、それぞれの操作キーのサイズを大きくすることも考えられる。
【００１７】
しかし、そうすると、キー操作部全体の面積が大きくなって、装置の小型化が妨げられるとともに、ユーザーは、手元から離れた操作キーを押すときには、より指を伸ばさなければならず、操作性が悪くなる。
【００１８】
以上のことは、複数のアイコンを示した操作画面を表示部の表示画面上に表示する表示操作装置でも、全く同じである。
【００１９】
そこで、この発明は、誤操作を減少させ、操作性を向上させることができるようにしたものである。
【課題を解決するための手段】
【００２０】
この発明の表示操作装置は、
表示部と、
この表示部の表示画面上に設けられたタッチパネルと、
前記表示部の表示画面上に、操作画面として複数のアイコンを、当該装置上の前記表示画面の周辺部の近傍の点である基点からの距離が大きいアイコンほど大きいサイズで表示する制御部と、
を備えることを特徴とする。
【００２１】
この発明の操作装置は、
当該装置の一部領域をキー操作部として、その領域内に複数の操作キーが、当該装置上の前記領域の周辺部の近傍の点である基点からの距離が大きい操作キーほど大きいサイズで形成されていることを特徴とする。
【００２２】
上記の構成の表示操作装置では、基点に近いアイコンにタッチするときには、指を縮め、指先を立てることによって、指先のタッチパネルへの接触面積が小さくなる。そのため、基点に近いアイコンのサイズが小さくても、他のアイコンにタッチすることなく、目的のアイコンにのみ容易かつ確実にタッチすることができ、誤操作を生じない。
【００２３】
逆に、基点から離れたアイコンにタッチするときには、指を伸ばし、指先を寝かせることによって、指先のタッチパネルへの接触面積が大きくなる。しかし、基点から離れたアイコンはサイズが大きいので、このとき、他のアイコンにタッチすることなく、目的のアイコンにのみ容易かつ確実にタッチすることができ、誤操作を生じない。
【００２４】
上記の構成の操作装置でも、同様に、誤操作を減少させ、操作性を向上させることができる。
【発明の効果】
【００２５】
以上のように、この発明によれば、誤操作を減少させ、操作性を向上させることができる。
【発明を実施するための最良の形態】
【００２６】
［１．第１の実施形態（表示操作装置としての実施形態）：図１〜図１２］
第１の実施形態として、表示部の表示画面上に操作画面を表示する表示操作装置の場合を示す。以下の実施形態は、携帯電話端末の場合である。
【００２７】
（１−１．携帯電話端末の一例の構成：図１および図２）
＜外観構成：図１＞
図１は、この発明の表示操作装置の一実施形態としての携帯電話端末の一例を示す。
【００２８】
この例の携帯電話端末１０は、折り畳み式の携帯電話端末として、下側筐体２０、上側筐体３０およびヒンジ部４０からなるものとして構成される。図１は、ヒンジ部４０を回転中心として、上側筐体３０を下側筐体２０に対して開いた状態を示す。
【００２９】
下側筐体２０の内側の面には、キー操作部２１およびマイクロホン２７が設けられる。キー操作部２１は、選択決定キー２２を含む操作キー群２３と、テンキーなどを構成する操作キー群２４とからなる。図１では示していないが、下側筐体２０の外側（裏側）の面には、メインカメラが設けられる。
【００３０】
上側筐体３０の内側の面には、表示部３１の表示画面３２、タッチパネル３５、スピーカ３７およびインカメラ３９が設けられる。表示部３１は、液晶ディスプレイや有機ＥＬディスプレイなどからなる。タッチパネル３５は、表示画面３２のほぼ全域上に設けられる。
【００３１】
＜接続構成：図２＞
図２に、図１の例の携帯電話端末１０の接続構成を示す。
【００３２】
この例の携帯電話端末１０では、制御バス５１およびデータバス５２からなるシステムバスに対して、制御部５５、メモリ５７、上記のキー操作部２１、上記の表示部３１、および座標検出部５９が接続される。座標検出部５９には、上記のタッチパネル３５が接続される。
【００３３】
制御部５５は、ＣＰＵを有するマイクロコンピュータとして構成される。そのマイクロコンピュータには、携帯電話端末１０の各種の処理を制御するためのソフトウエアプログラムが格納される。制御部５５のＣＰＵは、そのソフトウエアプログラムに従って各種の制御処理を実行する。
【００３４】
メモリ５７は、例えば、フラッシュメモリなどの半導体メモリからなる内蔵メモリである。メモリ５７には、動画や静止画などの画像のデータ、操作画面などの画面のデータ、音楽や音声のデータ、電話帳やメールのデータなどが格納される。
【００３５】
座標検出部５９は、後述のように表示部３１の表示画面３２上に操作画面が表示された状態でユーザーがタッチパネル３５にタッチしたとき、そのタッチされた座標位置を検出するものである。制御部５５は、その検出された座標位置から、ユーザーの選択内容などの操作内容を識別する。
【００３６】
さらに、制御バス５１およびデータバス５２からなるシステムバスに対しては、無線通信部４１、音声処理部４３、メインカメラモジュール４７、およびインカメラモジュール４９が接続される。
【００３７】
無線通信部４１は、携帯電話の通信用である。無線通信部４１には、アンテナ４２が接続される。
【００３８】
音声処理部４３は、送受話音声信号などの音声信号を処理するものである。音声処理部４３には、上記のマイクロホン２７およびスピーカ３７が接続される。
【００３９】
メインカメラモジュール４７は、上記のメインカメラを含み、このメインカメラによる撮像によって得られた画像データを処理する。
【００４０】
インカメラモジュール４９は、上記のインカメラ３９を含み、このインカメラ３９による撮像によって得られた画像データを処理する。
【００４１】
（１−２．操作画面の例：図３〜図５）
図１および図２の例の携帯電話端末１０では、表示画面３２上に初期画面（待受画面）が表示されている状態でユーザーが選択決定キー２２の中央部を押したときなどに、表示画面３２上に操作画面が表示される。図３、図４および図５に、それぞれ、この操作画面の一例を概略的に示す。
【００４２】
＜第１の例：図３＞
図３の例の操作画面１１は、ユーザーが右手で携帯電話端末を持ちながら、右手の指（人差し指）で表示画面３２（タッチパネル）にタッチする場合を想定したものである。この場合、その指１の付け根の部分１ａが、表示画面３２の左下コーナー部の近傍に位置するようになる。
【００４３】
そのため、操作画面１１は、表示画面３２の左下コーナー部の近傍の点Ｐ１を基点として、この基点Ｐ１からの距離が大きいアイコンほど、大きいサイズとする。
【００４４】
具体的に、アイコン１１ａ，１１ｂ，１１ｃおよび１１ｄは、基点Ｐ１からの距離が最小であるため、サイズも最小とし、同一円弧上に扇状に配置する。
【００４５】
アイコン１１ｅ，１１ｆ，１１ｇおよび１１ｈは、基点Ｐ１からの距離がアイコン１１ａ，１１ｂ，１１ｃおよび１１ｄより大きいので、サイズもアイコン１１ａ，１１ｂ，１１ｃおよび１１ｄより大きくし、同一円弧上に扇状に配置する。
【００４６】
アイコン１１ｉ，１１ｊ，１１ｋおよび１１ｍは、基点Ｐ１からの距離がアイコン１１ｅ，１１ｆ，１１ｇおよび１１ｈより大きいので、サイズもアイコン１１ｅ，１１ｆ，１１ｇおよび１１ｈより大きくし、同一円弧上に扇状に配置する。
【００４７】
アイコン１１ｎ，１１ｐ，１１ｑおよび１１ｒは、基点Ｐ１からの距離がアイコン１１ｉ，１１ｊ，１１ｋおよび１１ｍより大きいので、サイズもアイコン１１ｉ，１１ｊ，１１ｋおよび１１ｍより大きくし、同一円弧上に扇状に配置する。ただし、アイコン１１ｎ，１１ｐ，１１ｑおよび１１ｒの間では、基点Ｐ１からの距離およびサイズは、アイコン１１ｎが最小、アイコン１１ｒが最大である。アイコン１１ｓは、基点Ｐ１からの距離が最大であるため、サイズも最大とする。
【００４８】
＜第２の例：図４＞
図４の例の操作画面１２は、ユーザーが左手で携帯電話端末を持ちながら、左手の指（人差し指）で表示画面３２（タッチパネル）にタッチする場合を想定したものである。この場合、その指１の付け根の部分１ａが、表示画面３２の右下コーナー部の近傍に位置するようになる。
【００４９】
そのため、操作画面１２は、表示画面３２の右下コーナー部の近傍の点Ｐ２を基点として、この基点Ｐ２からの距離が大きいアイコンほど、大きいサイズとする。
【００５０】
具体的に、操作画面１２中のアイコン１２ａ，１２ｂ，１２ｃ，１２ｄ，１２ｅ，１２ｆ，１２ｇ，１２ｈ，１２ｉ，１２ｊ，１２ｋ，１２ｍ，１２ｎ，１２ｐ，１２ｑ，１２ｒおよび１２ｓは、図３の例の操作画面１１中のアイコン１１ａ，１１ｂ，１１ｃ，１１ｄ，１１ｅ，１１ｆ，１１ｇ，１１ｈ，１１ｉ，１１ｊ，１１ｋ，１１ｍ，１１ｎ，１１ｐ，１１ｑ，１１ｒおよび１１ｓに対応する。
【００５１】
＜第３の例：図５＞
図５の例の操作画面１３は、ユーザーが右手または左手で携帯電話端末を持ちながら、右手または左手の指（人差し指）１の付け根の部分１ａを表示画面３２の下辺部分の左右方向の中央部に位置させて、指１で表示画面３２（タッチパネル）にタッチする場合を想定したものである。
【００５２】
そのため、操作画面１３は、表示画面３２の下辺部分の左右方向の中央部の点Ｐ３を基点として、この基点Ｐ３からの距離が大きいアイコンほど、大きいサイズとする。
【００５３】
具体的に、アイコン１３ａ，１３ｂ，１３ｃおよび１３ｄは、基点Ｐ３からの距離が最小であるため、サイズも最小とし、同一円弧上に扇状に配置する。
【００５４】
アイコン１３ｅ，１３ｆ，１３ｇ，１３ｈおよび１３ｉは、基点Ｐ３からの距離サイズがアイコン１３ａ，１３ｂ，１３ｃおよび１３ｄより大きいので、サイズもアイコン１３ａ，１３ｂ，１３ｃおよび１３ｄより大きくし、同一円弧上に扇状に配置する。
【００５５】
アイコン１３ｊ，１３ｋ，１３ｍおよび１３ｎは、基点Ｐ３からの距離がアイコン１３ｅ，１３ｆ，１３ｇ，１３ｈおよび１３ｉより大きいので、サイズもアイコン１３ｅ，１３ｆ，１３ｇ，１３ｈおよび１３ｉより大きくし、同一円弧上に扇状に配置する。
【００５６】
アイコン１３ｐ，１３ｑおよび１３ｒは、基点Ｐ３からの距離が最大であるため、サイズも最大とし、同一円弧上に扇状に配置する。
【００５７】
（１−３．操作画面の操作：図６〜図１０）
図３の例の操作画面１１の場合、図６に示すように、ユーザーは、右手で携帯電話端末１０を持って、右手の指１Ｒで操作画面１１（タッチパネル）にタッチする。
【００５８】
図４の例の操作画面１２の場合、図７に示すように、ユーザーは、左手で携帯電話端末１０を持って、左手の指１Ｌで操作画面１２（タッチパネル）にタッチする。
【００５９】
図５の例の操作画面１３の場合、ユーザーは、図８に示すように、右手で携帯電話端末１０を持って、右手の指１Ｒで操作画面１３（タッチパネル）にタッチし、または図９に示すように、左手で携帯電話端末１０を持って、左手の指１Ｌで操作画面１３（タッチパネル）にタッチする。
【００６０】
いずれの場合にも、ユーザーは、図３、図４または図５に示したように、指１の付け根の部分１ａを支点に、指１を左右（表示画面３２の横方向）に振り、前後（表示画面３２の縦方向）に伸縮させて、操作画面上の目的のアイコンにタッチする。
【００６１】
図１０（Ａ）（Ｂ）（Ｃ）（Ｄ）は、図３の例の操作画面１１に図６に示すようにタッチする場合の、基点Ｐ１とアイコン１１ｒの中心とを結ぶ直線上でのユーザーの指先１ｃの状態を示したものである。
【００６２】
操作画面１１上のアイコン１１ｄ，１１ｈ，１１ｍおよび１１ｒは、便宜的に厚みがあるものとして示し、タッチパネル３５は破線で示した。
【００６３】
ユーザーは、基点Ｐ１に最も近いアイコン１１ｄにタッチするときには、図１０（Ａ）に示すように、指を縮め、指先１ｃを立てる。
【００６４】
このとき、指先１ｃのタッチパネル３５にタッチする部分１ｅの面積、すなわちタッチパネル３５への接触面積が最小となり、指先１ｃを細かく動かすことができる。
【００６５】
そのため、アイコン１１ｄのサイズが小さくても、他のアイコンにタッチすることなく、アイコン１１ｄにのみ容易かつ確実にタッチすることができ、誤操作を生じない。
【００６６】
逆に、基点Ｐ１から最も離れたアイコン１１ｒにタッチするときには、図１０（Ｄ）に示すように、指を伸ばし、指先１ｃを寝かせる。
【００６７】
そのため、このとき、指先１ｃのタッチパネル３５にタッチする部分１ｅの面積、すなわちタッチパネル３５への接触面積が最大となる。
【００６８】
しかし、上記のようにアイコン１１ｒはサイズが大きい。そのため、このときも、他のアイコンにタッチすることなく、アイコン１１ｒにのみ容易かつ確実にタッチすることができ、誤操作を生じない。
【００６９】
アイコン１１ｈにタッチするとき、またはアイコン１１ｍにタッチするときには、図１０（Ｂ）または図１０（Ｃ）に示すように、図１０（Ａ）に示した状態と図１０（Ｄ）に示した状態との中間の状態となる。
【００７０】
したがって、アイコン１１ｈにタッチするとき、またはアイコン１１ｍにタッチするときにも、他のアイコンにタッチすることなく、アイコン１１ｈまたはアイコン１１ｍにのみ容易かつ確実にタッチすることができ、誤操作を生じない。
【００７１】
以上のことは、図４の例の操作画面１２、および図５の例の操作画面１３についても、同様である。
【００７２】
しかも、操作画面１１，１２および１３では、多数のアイコンが全体として扇状に配置されているので、指１の付け根の部分１ａを支点に指１を左右に振ることによって、同一円弧上の複数のアイコン中の１つに容易にタッチすることができる。
【００７３】
（１−４．操作画面の選択設定：図１１）
操作画面１１のような右手操作用のアレンジの操作画面、操作画面１２のような左手操作用のアレンジの操作画面、および操作画面１３のような右手と左手のいずれにも対応したアレンジの操作画面のうちの、いずれを表示するかは、ユーザーが選択できるようにすることが望ましい。
【００７４】
この選択は、携帯電話端末１０の設定として、ユーザーが表示画面３２上にタイプ選択用の画面を表示させることによって行うことができるようにする。
【００７５】
ユーザーは、図１に示した選択決定キー２２によって、そのタイプ選択画面から、希望するタイプを選択する。図２に示した制御部５５は、その選択に従って、表示する操作画面のタイプを設定する。
【００７６】
図１１に、制御部５５が行う操作画面のタイプの設定に係る一連の処理の一例を示す。まず、制御部５５は、ユーザーの操作に従って、ステップ６１で、表示部３１の表示画面３２上にタイプ選択画面を表示する。
【００７７】
次に、制御部５５は、ステップ６２で、何らかの操作があったか否かを判断し、操作があったときには、ステップ６３に進んで、その操作が操作画面のタイプを選択する操作であるか否かを判断する。
【００７８】
そして、その操作が操作画面のタイプを選択する操作であるときには、ステップ６３からステップ６４に進んで、上記の右手操作用の第１タイプ、左手操作用の第２タイプ、および右手と左手のいずれにも対応した第３タイプのうちの、いずれが選択されたかを判断する。
【００７９】
そして、第１タイプが選択されたときには、ステップ６４からステップ６５に進んで、操作画面のタイプを第１タイプに設定する。第２タイプが選択されたときには、ステップ６４からステップ６６に進んで、操作画面のタイプを第２タイプに設定する。第３タイプが選択されたときには、ステップ６４からステップ６７に進んで、操作画面のタイプを第３タイプに設定する。
【００８０】
ステップ６３で、その操作が操作画面のタイプを選択する操作ではないと判断したときには、ステップ６８に進んで、その操作に対応する他の処理を実行する。
【００８１】
上記の例のように３つのタイプではなく、例えば、右手操作用の第１タイプおよび左手操作用の第２タイプのうちのいずれか一方を選択できるように構成してもよい。
【００８２】
（１−５．初期メニュー画面：図１２）
図１および図２の例の携帯電話端末１０では、表示画面３２上に初期画面（待受画面）が表示されている状態でユーザーが選択決定キー２２の中央部を押すと、表示画面３２上には操作画面の一種として、図１２に示すような初期メニュー画面１５が表示される。
【００８３】
この初期メニュー画面１５は、ユーザーが携帯電話端末１０で実行できる複数の機能中から任意の機能を選択するものである。
【００８４】
具体的に、この初期メニュー画面１５は、右手操作用の操作画面として、表示画面３２の左下コーナー部の近傍の点Ｐ１を基点として、この基点Ｐ１から表示画面３２の右上コーナー部の近傍の点Ｑ１に向う対角方向に、複数の区分領域１５Ａ，１５Ｅ，１５Ｊ，１５Ｐおよび１５Ｕに分ける。
【００８５】
区分領域１５Ａ，１５Ｅ，１５Ｊ，１５Ｐおよび１５Ｕは、基点Ｐ１からの距離が大きい区分領域ほど、上記の対角方向の幅を大きくする。ただし、区分領域１５Ｅ，１５Ｊ間、および区分領域１５Ｐ，１５Ｕ間のように、隣接する２つの区分領域の間では、幅を等しくしてもよい。
【００８６】
そして、区分領域１５Ａにはアイコン１５ａなどを配置し、区分領域１５Ｅにはアイコン１５ｅなどを配置し、区分領域１５Ｊにはアイコン１５ｊなどを配置し、区分領域１５Ｐにはアイコン１５ｐなどを配置し、区分領域１５Ｕにはアイコン１５ｕなどを配置する。
【００８７】
この場合、区分領域１５Ａに配置するアイコンのサイズを最小とする。区分領域１５Ｅに配置するアイコンのサイズは、区分領域１５Ａに配置するアイコンのサイズより大きくする。区分領域１５Ｊに配置するアイコンのサイズは、区分領域１５Ｅに配置するアイコンのサイズより大きくする。
【００８８】
区分領域１５Ｐに配置するアイコンのサイズは、区分領域１５Ｊに配置するアイコンのサイズより大きくする。区分領域１５Ｕに配置するアイコンのサイズは、区分領域１５Ｐに配置するアイコンのサイズより大きくし、初期メニュー画面１５中で最大とする。
【００８９】
具体的に、アイコン１５ｕは、メールの作成、送信、受信、受信ずみメールの閲覧などを行う場合に選択するものである。アイコン１５ｊは、上記のメインカメラやインカメラで撮影を行う場合に選択するものである。
【００９０】
（１−６．携帯電話端末としての他の例）
携帯電話端末としては、折り畳み式のものに限らない、メインカメラとインカメラの両方を備えるものに限らないなど、図１および図２に示した例に限らない。
【００９１】
（１−７．表示操作装置としての他の例）
表示操作装置としても、携帯電話端末に限らず、表示部を備え、その表示画面上にタッチパネルが設けられるとともに操作画面が表示されるものであれば、ＰＤＡ（Ｐｅｒｓｏｎａｌ  Ｄｉｇｉｔａｌ  Ａｓｓｉｓｔａｎｔｓ）やデジタルカメラなどの携帯端末または小型機器でもよい。
【００９２】
［２．第２の実施形態（操作装置としての実施形態）：図１３および図１４］
第２の実施形態として、表示部の表示画面上に表示される操作画面ではなく、複数の操作キー（ボタン）を有するキー操作部を備える操作装置の場合を示す。
【００９３】
（２−１．赤外線リモートコントローラの例：図１３および図１４）
図１３に、この発明の操作装置の一実施形態としての、テレビジョン受信機用の赤外線リモートコントローラの一例を示す。
【００９４】
この例の赤外線リモートコントローラ７０は、前方側の一端部に、送信部（赤外線発光部）７１を設け、その後方側に、キー操作部７２および７５を設ける。
【００９５】
キー操作部７２は、電源ボタン７３と、機能選択用の３つの操作キー７４ａ，７４ｂおよび７４ｃとを備えるものとする。
【００９６】
キー操作部７５は、チャンネル切換キー群７６、チャンネル選択キー群７７、および音量調整キー群７８を備えるものとする。
【００９７】
チャンネル切換キー群７６は、“１”から“１２”までの数字が印された操作キー７６ａ，７６ｂ，７６ｃ，７６ｅ，７６ｆ，７６ｇ，７６ｉ，７６ｊ，７６ｋ，７６ｐ，７６ｑおよび７６ｒからなるものとする。
【００９８】
チャンネル選択キー群７７は、上向き矢印が印されたチャンネル番号増加用の操作キー７７ｕと、下向き矢印が印されたチャンネル番号減少用の操作キー７７ｄとからなるものとする。
【００９９】
音量調整キー群７８は、“＋”の記号が印された音量増加用の操作キー７８ｕと、“−”の記号が印された音量減少用の操作キー７８ｄとからなるものとする。
【０１００】
ユーザーは、右手または左手で赤外線リモートコントローラ７０を持って、右手または左手の指（人差し指）１の付け根の部分１ａをキー操作部７５の後方側の点Ｐ５上に位置させ、指１の付け根の部分１ａを支点に指１を左右に振り、前後に伸縮させて、キー操作部７５を操作する。
【０１０１】
そのため、キー操作部７５中のチャンネル切換キー群７６では、基点となる点Ｐ５からの距離が最も大きい操作キー７６ａ，７６ｂおよび７６ｃのサイズを最大とする。
【０１０２】
操作キー７６ｅ，７６ｆおよび７６ｇのサイズは、操作キー７６ａ，７６ｂおよび７６ｃのサイズより小さくする。操作キー７６ｉ，７６ｊおよび７６ｋのサイズは、操作キー７６ｅ，７６ｆおよび７６ｇのサイズより小さくする。
【０１０３】
操作キー７６ｐ，７６ｑおよび７６ｒのサイズは、操作キー７６ｉ，７６ｊおよび７６ｋのサイズより小さくし、チャンネル切換キー群７６中で最小とする。
【０１０４】
チャンネル選択キー群７７では、基点Ｐ５からの距離が相対的に大きいチャンネル番号増加用の操作キー７７ｕのサイズを、基点Ｐ５からの距離が相対的に小さいチャンネル番号減少用の操作キー７７ｄのサイズより大きくする。
【０１０５】
音量調整キー群７８では、基点Ｐ５からの距離が相対的に大きい音量増加用の操作キー７８ｕのサイズを、基点Ｐ５からの距離が相対的に小さい音量減少用の操作キー７８ｄのサイズより大きくする。
【０１０６】
したがって、この例の赤外線リモートコントローラ７０では、図１０で示した理由と同じ理由によって、キー操作部７５の操作につき、誤操作が著しく少なくなる。
【０１０７】
なお、この例の赤外線リモートコントローラ７０でも、操作キー７６ａ〜７６ｃ，７６ｅ〜７６ｇ，７６ｉ〜７６ｋおよび７６ｐ〜７６ｒを、それぞれ同一円弧上に扇状に配置してもよい。
【０１０８】
図１４に、図１３の例の赤外線リモートコントローラ７０の接続構成を示す。この例の赤外線リモートコントローラ７０では、バス８１に対して、上記の送信部７１、制御部８３およびキーインタフェース８５が接続され、キー操作部７２を構成する各操作キー、およびキー操作部７５を構成する各操作キーが、キーインタフェース８５に接続される。
【０１０９】
制御部８３は、ＣＰＵを有するマイクロコンピュータとして構成され、キー操作部７２および７５でのキー操作を検出して、キー操作に応じたコントロール信号を生成し、送信部７１に赤外線リモートコントロール信号として送信させる。
【０１１０】
送信部７１から送信された赤外線リモートコントロール信号は、図では省略したテレビジョン受信機に設けられた受信部（赤外線受光部）で受信される。これによって、テレビジョン受信機では、チャンネル切換や音量調整などの処理が実行される。
【０１１１】
（２−２．他の例）
赤外線リモートコントローラとしては、キー操作部の具体的な構成などが図１３に示したものと異なるものでもよい。
【０１１２】
リモートコントローラとしては、赤外線方式のものに限らず、赤外線以外の光または電波による無線通信方式のものでもよい。
【０１１３】
操作装置としても、複数の操作キーを有するキー操作部を備えるものであれば、リモートコントローラに限らない。
【図面の簡単な説明】
【０１１４】
【図１】表示操作装置の一実施形態としての携帯電話端末の一例を示す図である。
【図２】図１の携帯電話端末の接続構成を示す図である。
【図３】操作画面の第１の例を示す図である。
【図４】操作画面の第２の例を示す図である。
【図５】操作画面の第３の例を示す図である。
【図６】図３の操作画面の操作態様を示す図である。
【図７】図４の操作画面の操作態様を示す図である。
【図８】図５の操作画面の操作態様を示す図である。
【図９】図５の操作画面の操作態様を示す図である。
【図１０】操作画面にタッチするときの指の状態および接触面積を示す図である。
【図１１】制御部が行う操作画面のタイプの設定に係る一連の処理の一例を示す図である。
【図１２】初期メニュー画面の一例を示す図である。
【図１３】操作装置の一実施形態としての赤外線リモートコントローラの一例を示す図である。
【図１４】図１３の赤外線リモートコントローラの接続構成を示す図である。
【図１５】従来の操作装置の説明に供する図である。
【符号の説明】
【０１１５】
主要部については図中に全て記述したので、ここでは省略する。
【図１】
2009265793.tif 000003
【図２】
2009265793.tif 000004
【図３】
2009265793.tif 000005
【図４】
2009265793.tif 000006
【図５】
2009265793.tif 000007
【図６】
2009265793.tif 000008
【図７】
2009265793.tif 000009
【図８】
2009265793.tif 000010
【図９】
2009265793.tif 000011
【図１０】
2009265793.tif 000012
【図１１】
2009265793.tif 000013
【図１３】
2009265793.tif 000014
【図１４】
2009265793.tif 000015
【図１５】
2009265793.tif 000016
【図１２】
2009265793.tif 000017